(57)【要約】【課題】本発明は、バッテリパック及びケースに関し、例えばいわゆるノートパソコンのバッテリパックに適用して、コーナーの部分にあっても十分な強度により上ケース及び下ケースを一体化することができるようにする。【解決手段】本発明は、コーナーに近接した部位に、蟻溝１５と、この蟻溝１５に嵌み合う突条１６とを形成する。【選択図】        図１
2004281309.tif 000002
【特許請求の範囲】
【請求項１】
下ケースと上ケースとによるケースに充電可能な二次電池を収納して形成されたバッテリパックにおいて、
少なくとも１つの側面においては、
前記下ケースの側面と、前記上ケースの側面とが重なり合うように形成され、
前記重なり合った部分のコーナーに近接した部位において、
一方のケースに、他方のケース側に向かって延長する蟻溝が形成され、
前記他方のケースに、前記蟻溝に嵌み合う突条が形成された
ことを特徴とするバッテリパック。
【請求項２】
前記蟻溝及び突条は、
前記他のケース側に向かうに従って幅広に形成された
ことを特徴とする請求項１に記載のバッテリパック。
【請求項３】
前記１つの側面が体裁面であり、
前記重なり合った部分の、前記蟻溝及び突条より前記コーナーから遠ざかった部位に、前記上ケール及び下ケースを一体に保持する係止機構が形成された
ことを特徴とする請求項１に記載のバッテリパック。
【請求項４】
前記係止機構が、
前記上ケースの前記側面を形成する側壁に形成されたツメと、
前記下ケースの前記側面を形成する側壁の内側に形成された、前記ツメを引っかける窓である
ことを特徴とする請求項３に記載のバッテリパック。
【請求項５】
下ケースと上ケースとによるケースにおいて、
少なくとも１つの側面においては、
前記下ケースの側面と、前記上ケースの側面とが重なり合うように形成され、
前記重なり合った部分のコーナーに近接した部位において、
一方のケースに、他方のケース側に向かって延長する蟻溝が形成され、
前記他方のケースに、前記蟻溝に嵌み合う突条が形成された
ことを特徴とするケース。
【発明の詳細な説明】
【０００１】
【発明の属する技術分野】
本発明は、バッテリパック及びケースに関し、例えばいわゆるノートパソコンのバッテリパックに適用することができる。本発明は、コーナーに近接した部位に、蟻溝と、この蟻溝に嵌み合う突条とを形成することにより、コーナーの部分にあっても十分な強度により上ケース及び下ケースを一体化することができるようにする。
【０００２】
【従来の技術】
従来、いわゆるノートパソコン等の電子機器においては、例えば特開平１１−１７６４０９号公報に開示のように、バッテリパックを装着した場合、このバッテリパックの一部の面があたかもこの電子機器の外装面を構成するようになされ、これにより全体形状を小型化し得るようになされている。以下、このように機器に装着した場合に、あたかもこの機器の外装面であるかのように、外部から見て取れる面を体裁面と呼ぶ。
【０００３】
このためこの種のバッテリパックにおいては、例えば上ケース及び下ケースによりケースを構成する場合、これら上ケース及び下ケースの突き合わせ面が体裁面に表れないように、外装面以外の部分に上ケース及び下ケースの突き合わせ面を設けるようになされている。
【０００４】
この種のバッテリパックは、このような上ケース及び下ケースに充電可能な二次電池、この二次電池の充放電を制御する制御回路等を収納した後、上ケース及び下ケースを一体化して作成されるようになされており、これら上ケース及び下ケースの一体化に超音波溶着、接着剤により接着が適用され、さらにはラベルの巻き付けにより上ケース及び下ケースが一体化されるようになされている。またいわゆるスナップイン構造の採用により、上ケースと下ケースとを簡易に一体化し得るようになされている。
【０００５】
すなわち図３（Ａ）は、この種のバッテリパックに適用されるケースについて、コーナーを示す分解斜視図であり、図３（Ｂ）は、この図３（Ａ）をＢ−Ｂ線により切り取って示す断面図であり、また図３（Ｃ）は、この図３（Ｂ）をＣ−Ｃ線により切り取って示す断面図である。
【０００６】
このバッテリパック１は、下ケース２及び上ケース３により形成され、下ケース２の側面２Ａが体裁面に設定される。これにより下ケース２において、この体裁面２Ａにあっては、この体裁面２Ａ側におけるバッテリパック１の長さ及び高さにより作成される。また上ケース３においては、この体裁面２Ａ側の先端が、体裁面２Ａの内側に突き当った後、体裁面２Ａの内側に沿って、下ケース２側に板状に延長するように形成される。これによりケース１は、体裁面２Ａにおいては、この体裁面２Ａであるケースの側面２Ａと、上ケース３の側面３Ａとが重なり合うように形成される。
【０００７】
下ケース２は、体裁面２Ａの内側にほぼ体裁面２Ａと平行につば２Ｂが形成され、このつば２Ｂと、体裁面２Ａの内側面とにより、上ケース３の下ケース２に向かって板状に延出する部位３Ａを挟持するようになされている。これらによりケース１においては、体裁面２Ａ側において、挟持させるのに十分な面積により下ケース２と上ケース３とを密着させて、これら下ケース２と上ケース３とを一体化できるようになされている。
【０００８】
また上ケース３においては、下ケース２のつば２Ｂに対応する部位が部分的に内側に延出してツメ３Ｃが形成されるのに対し、下ケース２においては、ツメ３Ｃが引っ掛かるように窓２Ｃがつば２Ｂに形成される。これによりバッテリパック１は、上ケース３のツメ３Ｃを下ケース２の窓２Ｃに嵌め合せて、下ケース２と上ケース３とを一体化できるようになされ、これらツメ３Ｃ及び窓２Ｃにより、下ケース２及び上ケース３を一体化して保持する係止機構を構成するようになされている。
【０００９】
これに対してバッテリパック１において、この体裁面２Ａと直交する側面１Ｄは、機器に装着して外部から見て取られないようになされ、これによりこの側面１Ｄのほぼ中央に下ケース２と上ケース３との突き合わせ面２Ｅ、３Ｅが形成される。すなわち下ケース２においては、この側面１Ｄ側の面２Ｄがバッテリパック１の略半分の高さだけ立ち上がるように形成され、これに対応して上ケース３においては、この側面１Ｄ側の面３Ｄが、バッテリパック１の略半分の高さだけ立ち下がるように形成される。
【００１０】
上ケース３は、この側面３Ｄにおける突き合わせ面３Ｅの部分が、部分的に下ケース２に向かってさらに延出され、下ケース２の側面２Ａの内側に沿って延長するように形成される。これに対応して下ケース２は、側面２Ｄの内側に側面２Ｄとほぼ平行につば２Ｆが形成され、このつば２Ｆと、側面２Ｄの内側面とにより、上ケース３の下ケース２に向かって板状に延出する部位３Ｆを挟持するようになされている。これらによりバッテリパック１においては、側面１Ｄ側において、十分な面積により下ケース２と上ケース３とを密着させて、これら下ケース２と上ケース３とを一体化できるようになされている。
【００１１】
また上ケース３においては、この側面２Ｄ側においても、下ケース２に向かって延長する部位３Ｆのうちの、つば２Ｆに対応する箇所が部分的に内側に延出してツメ３Ｇが形成されるのに対し、下ケース２においては、ツメ３Ｇが引っ掛かるようにつば２Ｆに窓２Ｇが形成される。これによりバッテリパック１は、側面１Ｄにおいても、上ケース３のツメ３Ｇを下ケース２の窓２Ｇに嵌め合せて、下ケース２と上ケース３とを一体化できるようになされ、これらツメ３Ｇ及び窓２Ｇにより、下ケース２及び上ケース３を一体化して保持する係止機構を構成するようになされている。
【００１２】
バッテリパック１は、他の面についても、同様に形成され、これらにより十分な強度を確保して下ケース２と上ケース３とを一体化するようになされている。
【００１３】
【特許文献１】
特開平１１−１７６４０９号公報
【００１４】
【発明が解決しようとする課題】
ところでこの種のケースにおいては、何れの手法により上ケースと下ケースとを一体化する場合にあっても、体裁面側のコーナーが落下等の衝撃によって上ケースと下ケースとに分離し易い問題がある。
【００１５】
すなわち図３について上述したスナップイン方式による構成の場合、つば２Ｂ、２Ｆの窓２Ｃ、２Ｇ、ツメ３Ｃ、３Ｇにおいては、スライド部分を金型に設けることが必要になる。しかしながら体裁面２Ａのコーナーの部分においては、これらスライド部分を近接させて設けることが困難なことにより、つば２Ｂ、２Ｆにおいては、何れかをコーナーの部分から一定の距離だけ隔てた位置に設けざるを得ず、これによりコーナーの部分においては、衝撃に弱くなる。
【００１６】
因みに、このスナップイン方式によるケースにおいては、コーナーの部分に接着剤を塗布して補強することも考えられるが、この場合、作業工数が増大し、さらには接着剤が外部にはみ出して製品不良となる欠点もある。
【００１７】
これに対して超音波溶着にあっても、コーナーの部分を溶着時のストッパーとして使用してケースの高さを所望の高さに設定することが多く、コーナーの部分においては、上ケースと下ケースとが面により接触して超音波により溶着することになり、側面方向に外力が働くと容易にコーナーが剥がれることになる。
【００１８】
また接着剤のみにより上ケースと下ケースとを一体化する場合にあっては、スナップイン方式について接着剤を併せて使用する場合と同様の問題がある。またラベルを巻き着けて一体化する場合にあっては、実際上、コーナーにはラベルを貼り付けるのが困難で、また貼り付けたとしても、容易に剥がれてしまい、これにより結局、コーナーの部分にあっては、剥がれ易くなる。
【００１９】
本発明は以上の点を考慮してなされたもので、コーナーの部分にあっても十分な強度により上ケース及び下ケースを一体化してなるバッテリパック及びケースを提案しようとするものである。
【００２０】
【課題を解決するための手段】
かかる課題を解決するため請求項１の発明においては、下ケースと上ケースとによるケースに充電可能な二次電池を収納して形成されたバッテリパックに適用して、少なくとも１つの側面においては、下ケースの側面と、上ケースの側面とが重なり合うように形成され、重なり合った部分のコーナーに近接した部位において、一方のケースに、他方のケース側に向かって延長する蟻溝が形成され、他方のケースに、蟻溝に嵌み合う突条が形成されてなるようにする。
【００２１】
また請求項５の発明においては、下ケースと上ケースとによるケースに適用して、少なくとも１つの側面においては、下ケースの側面と、上ケースの側面とが重なり合うように形成され、重なり合った部分のコーナーに近接した部位において、一方のケースに、他方のケース側に向かって延長する蟻溝が形成され、他方のケースに、蟻溝に嵌み合う突条が形成されてなるようにする。
【００２２】
請求項１の構成によれば、下ケースと上ケースとによるケースに充電可能な二次電池を収納して形成されたバッテリパックに適用して、少なくとも１つの側面においては、下ケースの側面と、上ケースの側面とが重なり合うように形成され、重なり合った部分のコーナーに近接した部位において、一方のケースに、他方のケース側に向かって延長する蟻溝が形成され、他方のケースに、蟻溝に嵌み合う突条が形成されてなることにより、このような蟻溝と突条とにあっては、金型にスライド機構等を設けなくても作成することができ、これによりコーナーの部分に近接した部位に蟻溝と突条とを設けて、これら蟻溝と突条との嵌み合せによりコーナーの部分を剥がれ難くすることができ、その分、コーナーの部分にあっても十分な強度により上ケース及び下ケースを一体化することができる。
【００２３】
これにより請求項５の構成によれば、コーナーの部分にあっても十分な強度により上ケース及び下ケースを一体化してなるケースを提供することができる。
【００２４】
【発明の実施の形態】
以下、適宜図面を参照しながら本発明の実施の形態を詳述する。
【００２５】
（１）実施の形態の構成
図２は、本発明の実施の形態に係るバッテリパックを示す分解斜視図である。このバッテリパック１１は、略長方形形状により形成され、長手方向に延長する一方の側面１１Ａと、この図における底面とが体裁面に設定され、体裁面の側面１１Ａと対向する他方の側面側が部分的に延出されて、この延出された部位の一部に、電源入出力用端子等が設けられるようになされている。
【００２６】
バッテリパック１１は、二次電池ユニット１２を下ケース１３及び上ケース１４によるケースに収納して形成される。ここで二次電池ユニット１２は、充電可能な二次電池セル１２Ａと基板１２Ｂとを接続して構成され、この基板１２Ｂには、二次電池セル１２Ａの充放電を制御する制御回路、電源入出力用端子等が設けられる。バッテリパック１１は、下ケース１３及び上ケース１４に二次電池ユニット１２を収納した際に、この基板１２Ｂの部分を覆って、電源入出力用端子等の部分が露出するように、下ケース１３及び上ケース１４が形成されるようになされている。
【００２７】
下ケース１３及び上ケース１４は、図３について上述した下ケース２及び上ケース３と同様に、下ケース１３の側面１３Ａが体裁面に設定され、この側面１３Ａがバッテリパック１１の長さ及び高さにより作成される。またこれに対応して上ケース１４は、体裁面１３Ａの内側に突き当って、体裁面１３Ａの内側に沿って下ケース１３側に板状に延出されるように形成される（符号１４Ａにより示す部位）。これによりバッテリパック１１は、体裁面１３Ａにおいては、下ケース１３の側面１３Ａと、上ケース１４の側面１４Ａとが重なり合うように形成される。またこの体裁面１３Ａの両側面においては、ほぼ中央に、下ケース１３と上ケース１４との端面による突き合わせ面１３Ｄ、１４Ｄが形成され、下ケース１３及び上ケース１４においては、これに対応してそれぞれ側面１３Ｂ、１３Ｃ及び１４Ｂ、１４Ｃが形成されるようになされている。
【００２８】
また図３との対比により図１に示すように、下ケース１３及び上ケース１４は、図３について上述した下ケース２及び上ケース３と同様に、それぞれ窓１３Ｇ、１３Ｉを設けてなるつば１３Ｅ、１３Ｈ、ツメ１４Ｇ、１４Ｉが所定のピッチにより設けられるようになされ、これらつば１３Ｅ、１３Ｈ、ツメ１４Ｇ、１４Ｉによる係止機構により下ケース１３及び上ケース１４を簡易に一体化して保持できるようになされている。
【００２９】
下ケース１３及び上ケース１４は、体裁面１３Ａ側のつば１３Ｅが、両側面１３Ｂ、１３Ｃのつば１３Ｉに比して、コーナーより遠ざかった位置に形成され、その分、側面１３Ｂ側のつば１３Ｈがコーナーに近接して設けられるようになされている。上ケース１４は、このようにしてつば１３Ｅが遠ざかった位置に配置されてなる体裁面１３Ａ側に、コーナーに近接して蟻溝１５が形成される。ここで蟻溝１５は、下ケースに向かって延長するように形成され、この蟻溝１５の深さが蟻溝１５の作成されてなる部位１４Ａの厚みにより形成され、これによりこの蟻溝１５がスリット形状により形成される。下ケース１３においては、この蟻溝１５に対応して、体裁面１３Ａの内側面に突条１６が形成される。
【００３０】
ここで蟻溝１５は、延長方向に直交する面により断面を見ると（図１（Ｃ））、逆テーパーにより形成されるのに対し、延長方向にあっては（図１（Ｂ））、先端側が広がるように所定のテーパーにより形成され、これによりコーナーに近接した部位に形成して、スライド機構等の特別な機構を金型に設けなくても、確実に金型から取り出すことができるようになされている。
【００３１】
これに対して突条１６は、この蟻溝１５に嵌み合うように、体裁面１３Ａの内側面に、根元側が幅広に形成される。これにより突条１６は、コーナーに近接した部位に形成して、スライド機構等の特別な機構を金型に設けなくても、確実に金型から取り出すことができるようになされ、さらに容易に蟻溝１５に嵌合させることができるようになされている。
【００３２】
これによりこのバッテリパック１１においては、このコーナーに近接して設けられた突条１６と蟻溝１５との嵌み合いとにより、コーナー部分における剥がれを防止するようになされている。
【００３３】
（２）実施の形態の動作
以上の構成において、このバッテリパック１１は、所定の電子部品を搭載してなる基板１２Ｂに二次電池セル１２Ａを接続して二次電池ユニット１２が形成され、この二次電池ユニット１２を下ケース１３、上ケース１４によるケースに収納して形成される。
【００３４】
バッテリパック１１においては、長手方向に延長する側面が体裁面１１Ａに設定され、この体裁面１１Ａにおいては、下ケース１３の側面１３Ａにより形成されて、下ケース１３と上ケース１４との突き合わせ面が体裁面１１Ａに表れないように構成され、これにより凹凸がなく、平滑に外装面を形成して、外装面を美しく見せることができるようになされている。
【００３５】
バッテリパック１１は、この体裁面１１Ａにおいて、下ケース１３の側面１３Ａの内側にて、途中まで上ケース１４の側面１４Ａとが重なり合うように形成され、この重なり合った部位の下ケース１３及び上ケース１４にそれぞれ窓１３Ｇを形成してなるつば１３Ｅ及びツメ１４Ｇが形成される。これによりバッテリパック１１は、下ケース１３に上ケース１４を持ち来して押し下げることにより、ツメ１４Ｇにより上ケース１４の側面１４Ａがガイドされて、この側面１４Ａが、下ケース１３の側面１３Ａの内側面とつば１３Ｅにより挟持される。またこの状態で、上ケース１４のツメ１４Ｇが下ケース１３の窓１３Ｇに嵌合する。これによりバッテリパック１１は、簡易な組み立て作業により下ケース１３及び上ケース１４を一体化して保持することができる。
【００３６】
また同様に、この体裁面１１Ａの両側面１３Ｂ、１３Ｃ、１４Ｂ、１４Ｃにおいても、それぞれ下ケース１３及び上ケース１４に形成された窓１３Ｉを形成してなるつば１３Ｈ及びツメ１４Ｉにより、下ケース１３に上ケース１４を持ち来して押し下げるだけで、ツメ１４Ｈによりガイドされ、上ケース１４のツメ１４Ｉが下ケース１３の窓１３Ｉに嵌合し、これにより簡易な組み立て作業により下ケース１３及び上ケース１４を一体化して保持することができる。
【００３７】
バッテリパック１１では、体裁面１１Ａ側のつば１３Ｅ、ツメ１４Ｇが金型に作成するスライドの分、コーナーから遠ざかった部位に形成され、これにより何ら対策を施さない場合には、落下等の衝撃により、コーナーの部分が剥がれ隙間が発生する。バッテリパック１１では、このため上ケース１４の側面１４Ａに、コーナーに近接して、下ケース１３に向かって延長する蟻溝１５が形成され、またこの蟻溝１５に嵌み合う突条１６が下ケース１３に形成され、これら蟻溝１５及び突条１６の嵌合によりコーナーの剥がれが防止される。
【００３８】
すなわち体裁面１１Ａに垂直な方向に外力が加わった場合には、蟻溝１５が深さ方向に広がるように形成され、突条１６がこの蟻溝１５に嵌み合っていることにより、この外力に十分に抗することができる。これに対してこの体裁面１１Ａと直交する側面１３Ｂに垂直な方向に外力が加わった場合には、この側面１３Ｂにコーナーに近接して設けられたつば１３Ｈとこの側面１３Ｂの内側面とにより、この外力に十分に抗することができる。これにより外力が働いた場合にあっても、コーナー部における隙間の発生を有効に回避することができる。
【００３９】
このようにして下ケース１３に上ケース１４を持ち来して押し下げて下ケース１３と上ケース１４とを一体化するにつき、蟻溝１５及び突条１６においては、下ケース１３側が幅広に形成されていることにより、これらを幅狭に形成した場合でも、簡易に組み立てることができる。また十分な強度により下ケース及び上ケースを一体化して保持することができる。
【００４０】
（３）実施の形態の効果
以上の構成によれば、コーナーに近接して、下ケース及び上ケースに突条及びこの突条に嵌み合う蟻溝を形成することにより、コーナーの部分にあっても十分な強度により上ケース及び下ケースを一体化することができる。
【００４１】
また下ケースに向かうに従って、これら蟻溝及び突条を幅広に形成することにより、簡易に組み立てることができる。
【００４２】
またこの蟻溝及び突条を形成してなる面を体裁面に設定し、蟻溝及び突条よりコーナーから遠ざかった部位に、上ケース及び下ケースを一体に保持する係止機構を形成することにより、この係止機構を金型のスライドにより形成するようにして、簡易な組み立て作業により一段と確実に、下ケース及び上ケースを一体に保持することができる。
【００４３】
また具体的に、この係止機構を、上ケースに形成されたツメと、このツメを引っかける窓とにより形成することにより、簡易な構成で、確実に下ケース及び上ケースを一体化して保持することができる。
【００４４】
（４）他の実施の形態
なお上述の実施の形態においては、体裁面側に蟻溝及び突条を形成する場合について述べたが、本発明はこれに限らず、体裁面側においては、コーナーに係止機構を近づけるようにし、体裁面の側面側に蟻溝及び突条を形成するようにしてもよい。
【００４５】
また上述の実施の形態においては、ツメと窓とにより係止機構を構成する場合について述べたが、本発明はこれに限らず、係止機構にあっては、他の構成を適用することもできる。
【００４６】
また上述の実施の形態においては、バッテリパックの長手側の側面及び底面を体裁面とする場合について述べたが、本発明はこれに限らず、種々の面を体裁面とする場合にも広く適用することができる。
【００４７】
また上述の実施の形態においては、体裁面の側面については、下ケースと上ケースとの突き合わせ面がほぼ中央になるように設定する場合について述べたが、本発明はこれに限らず、この側面をも体裁面に設定する場合等にも広く適用することができる。
【００４８】
また上述の実施の形態においては、いわゆるスナップイン方式により下ケース及び上ケースを一体化する場合について述べたが、本発明はこれに限らず、超音波溶着、接着剤等、他の方式により一体化する場合にも広く適用することができる。
【００４９】
また上述の実施の形態においては、ノートパソコンのバッテリパックに本発明を適用する場合について述べたが、本発明はこれに限らず、他の電子機器のバッテリパックに、さらにはバッテリパック以外の種々のケースに広く適用することができる。
【００５０】
【発明の効果】
上述のように本発明によれば、コーナーに近接して、下ケース及び上ケースに突条及びこの突条に嵌み合う蟻溝を形成することにより、コーナーの部分にあっても十分な強度により上ケース及び下ケースを一体化することができる。
【図面の簡単な説明】
【図１】本発明の実施の形態に係るバッテリパックを詳細に示す斜視図及び断面図である。
【図２】図１のバッテリパックの分解斜視図である。
【図３】従来のバッテリパックを詳細に示す斜視図及び断面図である。
【符号の説明】
１、１１……バッテリパック、１Ｄ、２Ａ、２Ｄ、３Ａ、３Ｄ、１３Ａ、１３Ｂ、１３Ｃ、１４Ａ、１４Ｂ、１４Ｃ……側面、２、１３……下ケース、２Ｂ、２Ｆ、１３Ｅ、１３Ｈ……つば、２Ｃ、２Ｇ、１３Ｇ、１３Ｉ……窓、２Ｅ、３Ｅ、１３Ｄ、１４Ｄ……突き合わせ面、３、１４……上ケース、３Ｃ、３Ｇ、１４Ｇ、１４Ｉ……ツメ、１２……二次電池ユニット、１５……蟻溝、１６……突条
【図１】
2004281309.tif 000003
【図２】
2004281309.tif 000004
【図３】
2004281309.tif 000005